(57)【要約】      （修正有）【課題】包装袋の補助膜として用いられ、包装袋の引き裂き口が一本の直線になる複合膜補助帯を提供する。【解決手段】一枚の複合膜バー１またはバンドからなり、少なくとも一枚のプラスチックフィルム１２において特殊形状の切欠き１１１を有し、複合膜バー１またはバンドには一層の完全なプラスチックフィルム１２をラミネートし、複合膜バー１またはバンドは複数枚の特殊形状の切欠き付きのフィルム１１からなり、互いにずれた形で配列することで、一枚の完全な無穴の複合膜バー１またはバンドを形成する。【選択図】図１
0003200556.tif 000002
【実用新案登録請求の範囲】
【請求項１】
複合膜補助帯において、一枚の複合膜バーまたはバンドからなり、少なくとも一枚のプラスチックフィルムには特殊形状の切欠きが設けられ、複合膜バーまたはバンドには一層の完全なプラスチックフィルムをラミネートし、複合膜バーまたはバンドは複数枚の特殊形状の切欠き付きのフィルムからなり、互いにずれた形で配列されることで、一枚の完全な無穴の複合膜バーまたはバンドを形成し、
切欠きは直線切欠きと特殊形状の切欠きであり、直線切欠きは１本の直線、相互に間隔を置く複数本の平行した直線切欠きであり、特殊形状の切欠きは切り穴と切りバーからなり、切り穴は菱形、Ｖ字形、円形、円弧状または多角形構成であり、切りバーが直線であり、切り穴と切りバーとの間に相互に連通し、１つの特殊形状の切欠きとして貫通し、配列順序は切りバーが切り穴に向けて１本の直線として連続的に配列され、必要に応じて特殊形状の切欠きの間に間隔を設置し、
切欠きと特殊形状の切欠きは複合膜バーまたはバンドにおいて１本又は複数本が平行して配列され、複合膜を形成した後に、対応した引き裂き口数および幅は平行した直線切欠きおよび特殊形状の切欠き幅および方向に対応し、
複合膜におけるプラスチックフィルムａの伸縮性がプラスチックフィルムｂより小さい時に、複合膜バーまたはバンドはプラスチックフィルムｂに接着し、通常は、複合膜バーまたはバンドが包装の内壁に配置されることを特徴とする複合膜補助帯。
【請求項２】
複合膜バーまたはバンドは帯状であり、横方向に引き裂くための包装において、複合膜バーまたはバンドの長さは包装フィルムの幅に一致し、包装袋を作成した後に、複合膜バーまたはバンドが折り畳まれた状態に配置されており、包装全体の内壁に接着し、縦方向に引き裂いた包装は一枚の広げたバーまたはバンドであり、包装フィルムにおける特定位置に接着し、包装が成形された後に複合膜バーまたはバンドが折り畳まれた状態にあり、包装袋の内壁の左辺、右辺、左右両辺に配置されていることを特徴とする請求項１に記載の複合膜補助帯。
【請求項３】
プラスチックフィルムの切欠きが直線切欠きである場合には、そのほかの完全なプラスチックフィルムに接着することで、一枚の複合膜バーまたはバンドになり、切欠きは１本および平行した複数本であり、それと対応した引き裂き口は１つおよび複数であり、切欠きと引き裂き口の幅とが一致する傾向がり、引き裂き方向は両方向に引き裂くことを特徴とする請求項１に記載の複合膜補助帯
【請求項４】
複合膜バーまたはバンドにおけるプラスチックフィルムにおいて特殊形状の切欠きは、複数の連続する菱形が端と端を接続して１本の直線に配列され、接続箇所は具体的な間隔が無いか、小さい間隔を有するかという２つの形式に分かれることを特徴とする請求項１に記載の複合膜補助帯。
【請求項５】
特殊形状の切欠きにおける切り穴は菱形、Ｖ字形、円形、楕円形、円弧形、三角形、正方形、長方形、梯形または多角形構成パターンの穴であることを特徴とする請求項１に記載の複合膜補助帯。
【請求項６】
引き裂き口位置はジッパープルを増加することで、複合膜全体が物体の外部を包装する時に外部引き開け器具になり、ジッパープルが包装の辺縁位置に配置され、横方向に引き裂く場合には、ジッパープルが切欠き、特殊形状の切り穴の辺縁の上部の一方に配置されており、縦方向に引き裂く場合には、ジッパープルが切欠き、特殊形状の切欠きの辺縁の上部に配置されていることを特徴とする請求項１に記載の複合膜補助帯。
【考案の詳細な説明】
【技術分野】
【０００１】
本案は複合膜補助帯に関する。
【背景技術】
【０００２】
従来、市場では多くの包装はプラスチックフィルム包装バックを採用し、清潔であり、使用が便利である。最も新型の機能を有するのはＰＥジップロックバッグであり、それは包装を引き裂いた後に１本の直線になり、包装内の内側シールを繰り返して開閉することができる。このように、気密性がよく、食物の安全、清潔を確保する。しかし、その構成は内側シールを失うと、プラスチックフィルムを１本の直線に引き裂くことができない。
【０００３】
また、たばこの外包装は、フィルムを一本の直線に引き裂くこともできる。しかし、普通の食品包装などの柔らかいバッグに応用することができない。
【考案の概要】
【考案が解決しようとする課題】
【０００４】
本案の目的は複合膜補助帯を提供することにある。それは、包装袋の補助膜として用いられ、包装袋の内壁に接着することで、包装袋の引き裂き口が一本の直線になることを実現する。それと同時に、それ自体が使用する材料は節約され、機能と材料節約との統一を実現する。
【課題を解決するための手段】
【０００５】
前記目的を実現するために、本案は以下の技術方案を提供する。一枚の複合膜バーまたはバンドからなり、少なくとも一枚のプラスチックフィルムに特殊形状の切欠きを有し、複合膜バーまたはバンドには一層の完全なプラスチックフィルムをラミネートし、複合膜バーまたはバンドは複数枚の特殊形状の切欠き付きのフィルムからなり、互いにずれた形で配列することで、一枚の完全の、無穴の複合膜バーまたはバンドを形成する。
【０００６】
さらに、切欠きは直線切欠きと特殊形状の切欠きであり、直線切欠きの一本の直線またはお互いに間隔を置く複数本の平行した直線切欠きであり、特殊形状の切欠きは切り穴と切りバーとからなり、切り穴が菱形、Ｖ字形、円形、円弧状又は多角形構成であり、切りバーが直線であり、切り穴と切りバーとの間で相互に連通し、特殊形状の切欠きとして貫通し、配列順序は切りバーが切り穴に向けて１本の直線に連続的に配列し、必要に応じて、特殊形状の切欠きの間に間隔を設置する。
【０００７】
さらに、切欠きと特殊形状の切欠きとは複合膜バーまたはバンドにおいて１本又は複数本の平行した配列であり、複合膜を形成した後に、対応した引き裂き口数および幅は平行した直線切欠きおよび特殊形状の切欠きの幅および方向に対応する。
【０００８】
さらに、複合膜においてプラスチックフィルムａの伸縮性がプラスチックフィルムｂより小さい場合には、複合膜バーまたはバンドはプラスチックフィルムｂに貼り合わせ、通常は、複合膜バーまたはバンドは包装の内壁に位置する。
【０００９】
さらに、複合膜バーまたはバンドは帯状であり、横方向に引き裂いた包装においては、複合膜バーまたはバンドの長さは包装フィルムの幅に一致し、包装袋を作成した後に、複合膜バーまたはバンドは折り畳んだ状態で配置され、包装全体の内壁に貼り合わせ、縦方向に引き裂いた包装においては１つの広げたバーまたはバンドであり、包装フィルムにおける特定位置に接着され、包装が成形された後に、複合膜バーまたはバンドは折り畳まれた状態にあり、包装袋の内壁の左辺、右辺、左右両辺に配置されている。
【００１０】
さらに、プラスチックフィルムの切欠きが直線切欠きである場合には、そのほかの一枚の完全なプラスチックフィルムと接着することで、一枚の複合膜バーまたはバンドとする。ただし、切欠きは１本および平行した複数本であり、それと対応した引き裂き口は１つおよび複数であり、切欠きと引き裂き口の幅とが一致する傾向があり、引き裂き方向は両方向に引き裂く方向である。
【００１１】
さらに、複合膜バーまたはバンドにおけるプラスチックフィルムにおいて特殊形状の切欠きは、複数の連続する菱形が端と端を接続して１本の直線に配列され、接続箇所は具体的な間隔が無いか、あるいは小さい間隔を有するかという２つの形式に分かれる。
【００１２】
さらに、特殊形状の切欠きにおける切り穴は菱形、Ｖ字形、円形、楕円形、円弧状、三角形、正方形、長方形、梯形または多角形構成パターンの穴である。
【００１３】
さらに、引き裂き口の位置はジッパープルを増加することで、複合膜全体が物体外部を被布する時に外部引き開け器具になり、ジッパープルが包装の辺縁位置に配置され、横方向に引き裂く時に、ジッパープルが切欠き、特殊形状の切り穴の辺縁の上部の一方に配置され、縦方向に引き裂く時に、ジッパープルが切欠き、特殊形状の切欠きの辺縁の上部に配置される。
【００１４】
さらに、持ち歩きおよび使用を便利にするために、包装袋の外表面に相応したパターン、矢印、文字を印刷して案内、マークとする。
【００１５】
さらに、引き裂き口は特殊形状の切欠きの切り穴に向けて設ける。
【００１６】
さらに、複合膜バーまたはバンドは包装袋の内壁の指定位置に接着されるため、引き裂き口が１本の直線である場合、材料を節約することができる。
【００１７】
さらに、複合膜バーまたはバンドは機能補助複合膜として包装に応用される。
【００１８】
さらに、包装袋がラミネート材料である場合には、その効果を発揮するために複合膜バーまたはバンドは必ず包装袋の複合膜における伸縮性が最も大きい一枚のフィルム壁に接着しなければならない。そうではないと、実施効果に影響する。
【００１９】
さらに、切欠き、特殊形状の切欠きと包装袋の辺縁の引き裂き口の位置および幅とが一致する場合には、その目的はバッグの引き裂きを便利にすることにある。
【００２０】
さらに、切欠きにおける直線切欠きの幅は３ｍｍより小さい。
【００２１】
さらに、切欠きにおける直線切欠きと特殊形状の切欠きは複合膜バーまたはバンドにおいて１本または複数本が平行して配列し、ピッチが０.５〜２０ｍｍの間にある。
【００２２】
さらに、特殊形状の切欠きが菱形又は三角形である場合には、直線切りバーは菱形又は三角形の鋭い一端を貫通する。
【００２３】
さらに、特殊形状の切欠きにおける切り穴と切りバーとの間にはプラスチックフィルムの間隔がなく、両者は連通する。
【００２４】
さらに、特殊形状の切欠きの配列順序は、切りバーが切り穴に向けて１本の直線として配列し、切欠きと切欠きとの間に間隔無しに配列するか、あるいは間隔を置いて配列するかに分かれる。
【００２５】
さらに、複合膜バーまたはバンドが使用した接着剤は効果が必ず優れており、接着性が必ず強くなり、固くなる。
【００２６】
さらに、包装フィルムとは、包装袋が成形される前にフィルムである時の状態である。
【００２７】
さらに、包装フィルムは単独のプラスチックフィルムであってもよく、複合膜であってもよい。複合膜である場合には、プラスチックフィルムとプラスチックフィルムとがラミネートしたり、プラスチックフィルムと用紙、アルミニウム膜などの材質膜とがラミネートしたりすることもできる。
【００２８】
さらに、切欠きにおける直線切欠き、特殊形状の切欠きは成形効果が直線、円弧、斜線、曲線である。
【００２９】
さらに、プラスチックフィルムが瓶体、缶体を包装する場合には、複合膜バーまたはバンドは缶体の外部表面に配置され、ジッパープルによりプラスチックフィルムをオープンする目的を実現する。
【００３０】
さらに、切欠き、特殊形状の切欠きを有するフィルムは、まず切欠きを製造し、或いは穴を開け、さらにラミネートし、半製品を形成し、また、包装フィルムと結合し、包装袋を作成する。
【００３１】
さらに、プラスチックフィルムとは、通常は、従来から市場で知られている各種のフィルム類製品であり、ポリ塩化ビニール、ポリエチレン、ポリプロピレン、ポリスチレンおよびそのほかの樹脂から作成したフィルムを含み、それと同時にアルミニウム膜、紙フィルムなどを含む。
【００３２】
さらに、切欠き、特殊形状の切欠きが複数本の平行構造を構成する場合には、バッグとの間で横方向、垂直、傾斜方向に配列分布させる。
【考案の効果】
【００３３】
本案の優れた効果は、複合膜補助帯の構造を改良することによて得られ、それ自体は１つのバー状、帯状の複合膜である。それは包装袋の内壁と接着し、バッグを引き裂くと１本の直線になる効果を実現することができる。かつ、複合膜の用量を節約することができ、機能を満足する前提条件で、使用材料の節約を実現する。包装袋に対して機能を有する複合膜バーまたはバンドを付加することで、包装袋の引き裂き口を平らで、美観を有する形にさせる。穴開けと積層は機器により実現し、半製品を形成し、包装袋と組み合わせて使用すると、１つの完全な製品を形成することができる。伝統的なバッグの引き裂き口が不規則で、美観を失うという問題を解決し、かつ最大程度に使用材料を節約する。既存のプロセスおよび製造水準の前提条件でも、機械化大量生産の背景でも、うまく生産、創造できることは保障できる。その適応範囲が広く、各産業、各種の類型の包装袋に応用することができ、市場での売れ行きがよいと見込まれる。
【図面の簡単な説明】
【００３４】
【図１】本案の複合膜バーまたはバンドの直線切欠きの構成を示す図である。
【図２】本案の複合膜バーまたはバンドの直線切欠きが引き裂き口を有する時の構成を示す図である。
【図３】本案の複合膜バーまたはバンドの特殊形状の切欠きの構成を示す図である。
【図４】本案の複合膜バーまたはバンドの特殊形状の切欠きが引き裂き口を有する時の構成を示す図である。
【図５】本案の切欠き付きのプラスチックフィルムにおいて、直線切欠きと特殊形状の切欠きとのさまざまな構成を示す図である。
【図６】本案の切欠き付きのプラスチックフィルムにおいて、直線切欠きと特殊形状の切欠きとのさまざまな、かつ間隔を有する構成を示す図である。
【図７】本案の切欠き付きのプラスチックフィルムにおいて、特殊形状の切欠きにおける切りバーの一部拡大構成を示す図である。
【図８】本案の複合膜補助帯の複合膜が金属缶体を包装することに応用される構成を示す図である。
【図９】本案の横方向に引き裂いた包装袋の立体透視構成を示す図である。
【図１０】本案の縦方向に引き裂いた包装袋は側辺から開け、展開した後に内壁には複合膜バーまたはバンドの直線切欠きを有する構成を示す図である。
【図１１】本案の縦方向に引き裂いた包装袋は側辺から開け、展開した後に内壁には複合膜バーまたはバンドの特殊形状の切欠きを有する構成を示す図である。
【考案を実施するための形態】
【００３５】
以下、図面および具体的な実施形態を結合して本案をさらに詳しく説明する。
【００３６】
図１〜１１に示すように、複合膜補助帯は、一枚の複合膜バーまたはバンド１からなり、少なくとも一枚のプラスチックフィルムには特殊形状の切欠き１１１が設けられており、複合膜バーまたはバンド１には一層の完全なプラスチックフィルム１２をラミネートし、複合膜バーまたはバンド１は複数枚の特殊形状の切欠き１１１付きのフィルムからなり、互いにずれた形で配列することで、一枚の完全な無穴の複合膜バーまたはバンド１を構成する。
【００３７】
切欠き１１１は直線切欠き１１１１と特殊形状の切欠き１１１２であり、直線切欠き１１１１は１本の直線、お互いに間隔１１２を有する複数本の平行した直線切欠き１１１１であり、特殊形状の切欠き１１１２は切り穴１１１２１と切りバー１１１２２からなり、切り穴１１１２１は菱形、Ｖ字形、円形、円弧状、多角形構成であり、切りバー１１１２２は直線であり、切り穴１１１２１と切りバー１１１２２との間は相互に連通し、１つの特殊形状の切欠き１１１２として貫通し、配列順序は切りバー１１１２２が切り穴１１１２１に向けて１本の直線として連続的に配列され、必要に応じて特殊形状の切欠き１１１２の間に間隔１１２が設置されている。切欠き１１１と特殊形状の切欠き１１１２とは複合膜バーまたはバンドにおいて１本又は複数本が平行して配列され、複合膜を形成し、対応した引き裂き口２の数および幅は平行した切欠き１１１および特殊形状の切欠き１１１２の幅に対応する。
【００３８】
プラスチックフィルムにおいて分割、穴開けを行い、切欠き１１１は１本の直線または特殊形状の切欠き１１１２が配列されてなる直線である。プラスチックフィルムには複数本の平行した切欠き１１１が設けられ、切欠き１１１付きのプラスチックフィルムは接着剤によりそのほかの完全なプラスチックフィルム１２と接着し、接着剤が乾燥し、接着が固着した後に一枚の完全な半製品を形成する。分割することで、複合膜バーまたはバンド１（複合膜補助帯）の作成を完成する。複合膜バーまたはバンド１の１本ずつに、１本または平行した複数本の切欠き１１１、特殊形状の切欠き１１１２を有する。
【００３９】
包装袋３がバッグとして作成される前に、作成した複合膜補助帯を包装袋３の包装フィルム３１の内壁における指定位置に付着させ、通常、接着剤を使用して接着する。横方向に引き裂くバッグである場合には、複合膜バーまたはバンド１の貼り合せ幅と包装袋３の包装フィルム３１の幅とを一致させ、接着が固着した後に、袋を製造し始める。袋を製造した後に、袋内の内容物を充填し、シーリングした後に、バッグの辺縁に引き裂き口２が設けられ、設けられた引き裂き口２の幅および位置は複合膜バーまたはバンド１の位置の近辺にある。この時の複合膜バーまたはバンド１は折り畳み状態にあり、直線切欠き１１１１や菱形切欠き１１１などを採用するので、このような構成は両方向に引き裂き可能な構成である。そのため、折り畳んだ後でもその引き裂き効果に影響しない。縦方向にバッグを引き裂く場合には、複合膜バーまたはバンド１は包装袋３の包装フィルム３１の左、右両辺の特定位置に配置される。それは複合膜バーまたはバンド１が広げられるからである。袋を製造した後に、バッグの左、右両辺の位置における複合膜バーまたはバンド１は折り畳まれている。それは縦方向にオープンされるバッグは、通常は、上から下までオープンされるからである。そのため、切欠き１１１における直線切欠き１１１１又は特殊形状の切欠き１１１２を使用することでバッグの優れたオープン性を実現することができる。特殊な状況に対応して、つまり、プラスチック膜が金属缶４を包装する場合、プラスチック膜における複合膜バーまたはバンド１の一端に接着してジッパープル２３を増加することでオープンが便利になることを実現する。通常は、引き裂き口２の方向は切欠き１１１における直線切欠き１１１１または特殊形状の切欠き１１１２における切り穴１１１２１に向ける。
【符号の説明】
【００４０】
１  複合膜バーまたはバンド
１１  切欠き付きのプラスチックフィルム
１１１  切欠き
１１１１  直線切欠き
１１１２  特殊形状の切欠き
１１１２１  切り穴
１１１２２  切りバー
１１２  間隔
１２  完全なプラスチックフィルム
２  引き裂き口
２１  横方向引き裂き口
２２  縦方向引き裂き口
２３  ジッパープル
３  包装袋
３１  包装フィルム。
【図１】
0003200556.tif 000003
【図２】
0003200556.tif 000004
【図３】
0003200556.tif 000005
【図４】
0003200556.tif 000006
【図５】
0003200556.tif 000007
【図６】
0003200556.tif 000008
【図７】
0003200556.tif 000009
【図８】
0003200556.tif 000010
【図９】
0003200556.tif 000011
【図１０】
0003200556.tif 000012
【図１１】
0003200556.tif 000013